(57)【要約】【課題】軸組空間のサイズに応じて自在に長さを調節することが可能で、取り扱いの容易な筋かいプレートキットを提供する。【解決手段】筋かいプレートキットは、３種のプレートユニット（骨プレート１０、骨プレート２０、連結プレート３０）と連結用の固定手段４１とを備える。プレートユニット１０，２０，３０は、プレート面の両端部に一定間隔で貫通するそれそれ一対の連結孔Ｈ１，Ｈ１を有しており、これらの連結孔Ｈ１，Ｈ１は、プレートユニット同士を直線状に並べてその端部を重ねたとき、それぞれ一致し合う位置にある。固定手段４１は、一対の連結孔Ｈ１，Ｈ１を通して前レートユニット同士の端部を重ねて固定する。【選択図】図５
2006132162.tif 000002
【特許請求の範囲】
【請求項１】
所定長さの２以上のプレートユニットと、
前記プレートユニット同士を連結する固定手段とを備え、
前記プレートユニットは、プレート面の両端部に一定間隔で貫通するそれそれ一対の連結孔を有しており、かつ、これらの連結孔は、前記プレートユニット同士を直線状に並べてその端部を重ねたとき、それぞれ一致し合う位置にあり、
前記固定手段は、前記一対の連結孔を通して前記プレートユニット同士の端部を重ねて固定するものであることを特徴とする、筋かいプレートキット。
【請求項２】
前記プレートユニットのプレート面の両端部に、前記連結孔よりも小径の補助孔を設ける、請求項１記載の筋かいプレートキット。
【請求項３】
前記連結孔および前記補助孔は、前記プレートユニットの端部で上下左右対称な位置関係にあり、かつ、前記プレートユニット同士を直線状に並べてその端部を重ねたとき、各孔がそれぞれ一致する位置にある、請求項２記載の筋かいプレートキット。
【請求項４】
前記プレートユニットは、
所定長さの２以上の骨プレートと、
前記骨プレートを連結するための連結プレートとから構成されるものであり、
前記連結プレートは、長さ方向に隣り合う前記骨プレートの端部に重なって、前記骨プレートを同一平面上に連結するものである、請求項１，２または３記載の筋かいプレートキット。
【請求項５】
請求項１〜４記載のいずれか一項記載の筋かいプレートキットを用いる筋かいプレートの取付工法であって、
Ａ．所定の長さの２以上の前記プレートユニットを作製する工程、
Ｂ．軸組部材で囲まれる軸組空間のサイズに合わせて２以上の前記プレートユニットを選定する工程、
Ｃ．前記プレートユニットを前記固定手段により直線状に連結することで、必要長さの筋かいプレートを得る工程、
Ｄ．工程Ｃの筋かいプレートを、前記軸組空間の壁面に沿って架け渡し、前記軸組部材に固定する工程
を含むことを特徴とする、筋かいプレートの取付工法。
【発明の詳細な説明】
【技術分野】
【０００１】
本発明は、筋かいプレートキットに関し、例えば木造軸組建物等の補強材に適用されるものである。
【背景技術】
【０００２】
一般に、木造軸組工法による建築物では、柱や梁などの軸組部材で囲まれる四辺形の空間に、筋かいを斜め方向に入れて耐震補強を施している。例えば図１３に示すように、土台２と、柱３，４と、梁５とで組まれた鉛直方向の軸組空間に、筋かい１が対角線方向に入り、軸組空間の変形を抑えている。
【０００３】
ところが、このような従来の軸組構造では、四辺形の軸組空間に筋かいを入れた後に壁材を施すため、建物が一旦完成すると、後で筋かいを入れ直すことが困難となる。壁材を取り除いて筋かいを入れる方法もあるが、工期が長くなりやすく、施工コストも嵩むといった理由から採用されにくい。このため、リフォームの際の耐震補強の要請に応えることが難しくなっている。
【０００４】
これに対し、最近では、特許文献１に示すように、金属製の長尺プレートを筋かいとして用いるものがある。この種の筋かいプレートは、板厚が比較的薄いために建物の完成後でも壁面に沿って固定することが可能で、施工作業が簡単に済み、工期も短く抑えられる。
【０００５】
【特許文献１】特開２００１−３２３５６８号公報
【発明の開示】
【発明が解決しようとする課題】
【０００６】
しかしながら、このような従来の筋かいプレートを使用する場合には、軸組空間のサイズ毎に専用の長さのプレートを準備する必要があり、プレートの切断・孔空け等の加工作業が煩雑になりやすい。また、長尺のプレートを扱う場合には、製造・運搬等の作業負担が大きくなる。
【０００７】
本発明は、このような現状に鑑みなされたもので、軸組空間のサイズに応じて自在に長さを調節することが可能で、しかも、取り扱いの容易な筋かいプレートキットを提供することを目的としている。
【課題を解決するための手段】
【０００８】
［第１発明］
前記課題を解決するための本発明（第１発明）の筋かいプレートキットは、
所定長さの２以上のプレートユニットと、
前記プレートユニット同士を連結する固定手段とを備え、
前記プレートユニットは、プレート面の両端部に一定間隔で貫通するそれそれ一対の連結孔を有しており、かつ、これらの連結孔は、前記プレートユニット同士を直線状に並べてその端部を重ねたとき、それぞれ一致し合う位置にあり、
前記固定手段は、前記一対の連結孔を通して前記プレートユニット同士の端部を重ねて固定するものである構成とした。
【０００９】
本発明（第１発明）の筋かいプレートキットは、２以上のプレートユニットの端部を重て直線状に並べると、各プレート面の連結孔が一致して連通する。これらの連結孔に固定手段を通して固定することで、プレートユニット同士が直線状に連結される。
第１発明の構成によれば、種々の長さのプレートユニットを組み合わせて連結することによりプレート長さを自在に調節することができる。これにより、軸組空間のサイズに応じて専用の長さの筋かいプレートを個々に製作する必要がなくなり、施工コストを抑えることができる。
【００１０】
また、第１発明の構成によれば、プレートユニットを連結する際、プレート端部の連結孔を位置合わせするだけでプレートユニット同士が直線状に並ぶため、両者の位置決めを簡単に行える。
さらに、プレートユニットの連結部分が固定手段により２点（２箇所）で支持されるため、一方の固定部付近が回動中心になってプレートユニットがズレるような不具合が防止され、プレートユニット同士を常に直線上に保つことができる。
【００１１】
第１発明において、「固定手段」は、連結孔に通すことができれば特に限定されない。例えばボルト・ナット、リベット、ネジ等が挙げられる。
また、「プレートユニット」には、鋼材等からなる金属製プレートを用いるとよい。プレート幅および厚みは均一であることが望ましい。
「プレートユニット」の材料については、地震等の衝撃を吸収するための特殊材料を用いてもよい。例えば、ビル用ダンパー等に採用される極軟鋼、ナノ結晶材料（亜鉛・アルミニウム合金など）等の衝撃吸収用材料を用いることにより耐震性能を高めることができる。
【００１２】
「一対の連結孔」は、均一な径の孔が２個あることが望ましいが、必ずしも孔径が均一でなくてもよい。また、複数の連結孔のうち所定の２個の孔を用いるようにしてもよい。連結孔の位置は、プレートユニットの長さ方向の中央軸線上にあるのが望ましいが、プレートユニット同士が真っ直ぐに連結される位置であれば、上記中央軸線からズレた位置にあってもよい。
【００１３】
［第２発明］
本発明（第２発明）の筋かいプレートキットは、第１発明の構成において、前記プレートユニットのプレート面の両端部に、前記連結孔よりも小径の補助孔を設ける構成とした。  このような構成によれば、連結孔と補助孔のそれぞれに２種の固定手段を使い分けることができる。例えば、連結孔をボルト連結用とし、補助孔をネジ止め用として使い分けることで、筋かいプレートの連結作業および固定作業が行いやすくなる。
【００１４】
［第３発明］
本発明（第３発明）の筋かいプレートキットは、第２発明の構成において、前記連結孔および前記補助孔は、前記プレートユニットの端部で上下左右対称な位置関係にあり、かつ、前記プレートユニット同士を直線状に並べてその端部を重ねたとき、各孔がそれぞれ一致する位置にある構成とした。
このような構成によれば、プレートユニットを上下いずれの向きに使用しても、また、表裏いずれの面を上に向けて使用しても、常に連結孔と補助孔とが一定の位置関係になる。これにより、プレートユニットを連結または固定する際に、プレートの向きや面を意識する必要がなくなり、作業性を大幅に向上させることができる。
【００１５】
［第４発明］
本発明（第４発明）の筋かいプレートキットは、第１〜３発明の構成において、
前記プレートユニットは、
所定長さの２以上の骨プレートと、
前記骨プレートを連結するための連結プレートとから構成されるものであり、
前記連結プレートは、長さ方向に隣り合う前記骨プレートの端部に重なって、前記骨プレートを同一平面上に連結するものである構成とした。
【００１６】
プレートユニットを重ねて連結する場合、連結部分には、プレートの厚み分だけ段差が生じる。このような段差により連結後の筋かいプレートの両端部にズレ（固定面のズレ）があると、軸組部材に筋かいプレートを固定するときに、プレート面に撓みや捻れが生じるおそれがある。
第４発明の構成によれば、連結プレートによって骨プレートが同一平面上に連結されるめ、骨プレートのプレート面があたかも一枚プレートのように連なって筋かいプレートを形成する。このため、筋かいプレートを軸組部材に安定的に固定することができ、耐震強度を高めることができる。
なお、連結プレートは、骨プレートの連結部の表裏両側に重ねて使用するとよい。２枚の連結プレートで骨プレートを挟んで連結することで連結部の強度が向上し、耐震性をさらに高めることができる。
【００１７】
［第５発明］
本発明（第５発明）は、第１〜４発明の筋かいプレートキットを用いる筋かいプレートの取付工法であって、
Ａ．所定の長さの２以上の前記プレートユニットを作製する工程、
Ｂ．軸組部材で囲まれる軸組空間のサイズに合わせて２以上の前記プレートユニットを選定する工程、
Ｃ．前記プレートユニットを前記固定手段により直線状に連結することで、必要長さの筋かいプレートを得る工程、
Ｄ．工程Ｃの筋かいプレートを、前記軸組空間の壁面に沿って架け渡し、前記軸組部材に固定する工程
を含むことを特徴としている。
【００１８】
このような筋かいプレートの取付工法によれば、必要なプレートユニットを組み合わせて連結することにより、種々のサイズの軸組空間で壁面に沿って筋かいプレートを固定することができる。これにより、簡単かつ低コストで筋かいプレートによる軸組の補強を行うことが可能になる。
【００１９】
本発明（第１〜５発明）は、単独で適用してもよいし、これらの発明を必要に応じて組み合わせて適用してもよい。また、本発明（第１〜５発明）に本明細書に記載される他の発明を組み合わせることもできる。
【発明を実施するための最良の形態】
【００２０】
以下、本発明の実施形態を図面に基づいて説明する。
本実施形態による筋かいプレートキットの構成部品を図１〜図４に示す。
筋かいプレートキットは、骨プレート１０（図１参照）、骨プレート２０（図２参照）、連結プレート３０（図３参照）、および連結用の固定手段４１（図４（Ａ）参照）を有している。骨プレート１０，２０を任意の数だけ選んで連結プレート３０および固定手段４１により直線状に連結して用いる。
【００２１】
各プレート１０，２０，３０は、鋼材からなる板材であり、それぞれ等しい板幅（７５ｍｍ程度）と板厚（１５ｍｍ程度）をもつ。プレート長さはそれぞれ異なり、骨プレート１０は９００ｍｍ程度、骨プレート２０は６００ｍｍ程度、連結プレート３０は２１０ｍｍ程度に設定される。例えば骨プレート１０と骨プレート２０とを連結した場合、１５００ｍｍ程度の長さになり、骨プレート１０同士を連結した場合は１８００ｍｍ程度、骨プレート２０同士を連結した場合は１２００ｍｍ程度の長さのプレートになる。
【００２２】
各プレート１０，２０，３０の端部には、２個の連結孔Ｈ１と４個の補助孔Ｈ２が設けられている。連結孔Ｈ１の孔径は１３ｍｍφ程度、補助孔Ｈ２の孔径は連結孔Ｈ１よりも小さく５ｍｍφ程度に設定される。これらの６個の貫通孔は、全てのプレート両端部で同じ位置関係にあり、プレート同士を直線状に並べてこれらの端部を重ねたとき、各孔が一致して連通するようになっている。
【００２３】
固定手段４１は、連結ボルト４１ａおよび連結ナット４１ｂからなるもので、連結ボルト４１ａが連結孔Ｈ１を通して連結ナット４１ｂに締め付けられる。連結ボルト４１ａの長さは、プレート３枚を重ねて止めることができる程度の長さになっている。
なお、図４（Ｂ）および（Ｃ）に示す固定ボルト４２および固定ネジ４３は、連結後の筋かいプレートを柱や梁に固定するときに使用するものである。
【００２４】
連結孔Ｈ１と補助孔Ｈ２の位置関係は、プレート１０，２０，３０の中央軸線上に連結孔Ｈ１が一定間隔で対をなして配置されており、これらの連結孔Ｈ１を囲む矩形の頂点位置に補助孔Ｈ２が配置されている。すなわち、連結孔Ｈ１および補助孔Ｈ２は、プレート端部において上下左右対称な位置関係になっている。この結果、プレート１０，２０，３０を上下または表裏の区別なく取り扱うことができ、筋かいプレートの連結作業または固定作業を極めて簡単に行うことが可能になる。
【００２５】
図１に示すように、骨プレート１０の中央には止め孔Ｈ３が形成されている。この止め孔Ｈ３は、後述するように、２個の骨プレート１０を襷掛け状に使用するときに（図８参照）、これらの中央でボルト止めするための孔である。一方、骨プレート２０の中央から外側に寄った位置には、矩形の頂点の位置に４個の止め孔Ｈ４が形成されている（図２参照）。止め孔Ｈ４は、筋かいプレートを壁面に固定するとき、固定ネジ４３を通すための孔である。
【００２６】
次に、筋かいプレートキットの使用方法について説明する。
筋かいプレートキットを使用する場合、軸組空間のサイズに応じて２個以上の骨プレート１０，２０を組み合わせて、これらを連結プレート３０を介して連結する。例えば図５に示すように、骨プレート１０と２０とを選択する場合、これらを直線状に並べ、互いの先端を突き合わせた状態で、表裏両側に連結プレート３０を重ねる。骨プレート１０と連結プレート３０の端部、および骨プレート２０と連結プレート３０の端部をそれぞれ重ね合わせて、各プレートの連結孔Ｈ１と補助孔Ｈ２とを全て一致させる。
【００２７】
このような状態で、連結孔Ｈ１、Ｈ１にボルト４１ａを通し、反対側でナット４１ｂにねじ込むと、図５（Ｂ）に示すように、骨プレート１０および２０が連結プレート３０に挟まれた状態で同一直線上かつ同一平面上に固定される。
なお、図５に示すように、骨プレート１０と２０との連結部分において、これらの先端の間に隙間Ｓを空けるようにすると、連結プレート３０に若干の寸法誤差があっても、骨プレート１０と２０との連結を簡単かつ確実に行うことができる。
【００２８】
図５に示す筋かいプレートよりも短いプレートが必要な場合は、骨プレート２０を２個選択し、これらの骨プレート２０を同様に連結プレート３０で連結する（図６参照）。
また、図５に示す筋かいプレートよりも長いプレートが必要な場合は、骨プレート１０を２個選択し、これらを連結プレート３０で連結する。
【００２９】
連結後の筋かいプレートを使用する場合、例えば図７に示すように、軸組部材（土台５２、柱５３，５４、梁５５）で囲まれる四辺形の空間に、壁面５６に沿って対角線方向に筋かいプレートを架け渡す。筋かいプレートの両端部には連結孔Ｈ１と補助孔Ｈ２が空いているため、これらの孔が軸組部材の鉛直面に重なるようにする。このような状態で、連結孔Ｈ１および補助孔Ｈ２を通して固定ボルト４２および固定ネジ４３を軸組部材に締め付けると、筋かいプレートの両端部が軸組部材の鉛直面に固定されることになる。
なお、筋かいプレートの固定には、固定ボルト４２または固定ネジ４３のうちいずれか一方のみを使用することも可能である。
【００３０】
このように本実施形態の筋かいプレートキットによれば、軸組空間のサイズに合わせて骨プレート１０，２０を連結することで、筋かいプレートの長さを簡単に調節することができる。これにより、軸組空間のサイズ毎に専用のプレートを製作する必要がなくなり、製造および施工コストを抑えることができる。
また、各プレート１０，２０，３０が軸組空間よりも十分に短い寸法になっているため、プレートの製造・運搬の取り扱いが簡単になる。
【００３１】
また、本実施形態の筋かいプレートキットでは、骨プレート１０，２０が連結プレート３０を介して同一平面上に連結されるため、プレート面に撓みや捻れが生じにくく、軸組部材の鉛直面に筋かいプレートを安定的に固定することができる。
【００３２】
本実施形態の筋かいプレートキットの他の使用例を図８〜図１２に示した。本実施形態の骨プレート１０，２０および連結プレート３０は、長さ方向に連結しないで補強材として使用することもできる。
図８は、骨プレート１０をそのままの長さで筋かいプレートとして用いる例である。骨プレート１０，１０を襷掛けで軸組空間に架け渡している。この場合、骨プレート１０，１０の中央（止め孔Ｈ３）でプレート同士を止めることで耐震強度を高めることができる。このように骨プレート１０，２０は、軸組空間にそのままの長さで筋かいプレートとして使用することができる。
【００３３】
図９および図１０は、軸組部材の交差部付近を骨プレート２０で補強する例である。図９では水平方向に交差する梁５５，５５に骨プレート２０を架け渡し、図１０では垂直方向に交差する柱５３と梁５５に骨プレート２０を架け渡している。骨プレート２０と軸組部材（柱５３，梁５５）との固定は、連結孔Ｈ１または補助孔Ｈ２を通して固定ボルト４２または固定ネジ４３を各部材にねじ込むことにより行う。同様な補強方法は、骨プレート１０についても適用することができる。
【００３４】
図１１および図１２は、軸組部材の繋ぎ部を連結プレート３０で補強する例である。図１１は、土台５２と柱５３との繋ぎ部を連結プレート３０で高さ方向に補強した例を示し、図１２は、２本の柱材５７，５８の繋ぎ部を連結プレート３０で長さ方向に補強した例を示している。連結プレート３０と軸組部材（土台５２，柱５３，柱材５７，５８）との固定は、連結孔Ｈ１または補助孔Ｈ２を通して固定ボルト４２または固定ネジ４３をねじ込むことにより行う。図１２破線に示すように、軸組部材の両側面に連結プレート３０を取り付けて補強の強度を高めてもよい。このように連結プレート３０は、軸組部材の連結金具として用いることができる。
【００３５】
以上、本発明の実施形態を説明したが、筋かいプレートキットの構成は、これに限られることはない。
骨プレート１０，２０の長さは、自由に変更してもよいし、骨プレートの数を増やしてもよい。また、連結孔Ｈ１と補助孔２の孔径や形状、孔の位置等は、各プレートを直線状に連結できる範囲で自由に変更することが可能である。
また、各プレート１０，２０，３０の全部または一部を衝撃吸収材料で形成してもよい。例えば連結プレート３０を衝撃吸収材料で形成すると、連結プレート３０の長さ変化を隙間Ｓで吸収可能な構造となり、優れた強度と耐衝撃性とを兼ね備えた機能性の高い筋かいプレートを実現することができる。
【図面の簡単な説明】
【００３６】
【図１】本発明の実施形態による筋かいプレートキットの骨プレートを示すもので、（Ａ）は平面図、（Ｂ）は側面図である。
【図２】同筋かいプレートキットの他の骨プレートを示すもので、（Ａ）は平面図、（Ｂ）は側面図である。
【図３】同筋かいプレートキットの連結プレートを示すもので、（Ａ）は平面図、（Ｂ）は側面図である。
【図４】同筋かいプレートキットの固定手段を示す側面図である。
【図５】同筋かいプレートキットの連結例を示す平面図である。
【図６】同筋かいプレートキットの他の連結例を示す平面図である。
【図７】同筋かいプレートキットの使用状態を示す正面図である。
【図８】図１に示す骨プレートの他の使用状態を示す正面図である。
【図９】図２に示す骨プレートの他の使用状態を示す斜視図である。
【図１０】図２に示す骨プレートの他の使用状態を示す斜視図である。
【図１１】図３に示す連結プレートの他の使用状態を示す斜視図である。
【図１２】図３に示す連結プレートの他の使用状態を示す斜視図である。
【図１３】従来の筋かいの実施形態を示す正面図である。
【符号の説明】
【００３７】
１０，２０    骨プレート（プレートユニット）
３０    連結プレート（プレートユニット）
４１    固定手段
４１ａ  連結ボルト
４１ｂ  連結ナット
４２    固定ボルト
４３    固定ネジ
５２    土台
５３，５４    柱
５５    梁
５６    壁面
Ｈ１    連結孔
Ｈ２    補助孔
Ｓ    隙間
【図１】
2006132162.tif 000003
【図２】
2006132162.tif 000004
【図３】
2006132162.tif 000005
【図４】
2006132162.tif 000006
【図５】
2006132162.tif 000007
【図６】
2006132162.tif 000008
【図７】
2006132162.tif 000009
【図８】
2006132162.tif 000010
【図９】
2006132162.tif 000011
【図１０】
2006132162.tif 000012
【図１１】
2006132162.tif 000013
【図１２】
2006132162.tif 000014
【図１３】
2006132162.tif 000015